(57)【要約】【課題】  ヒンジキャップに切離し可能に連設した封緘部材により不正の確認ができるとともに、閉蓋状態をより強固に維持させることができ、また上蓋に力が掛かっても簡単に開蓋しないようにした不正防止キャップを提供すること。【解決手段】  容器口部に装着されるキャップ本体と、ヒンジによって開閉可能に連結された上蓋からなるヒンジキャップにおいて、キャップ本体は、嵌合筒部と、外周上部の所定の位置にヒンジと封緘部材が連設される外周壁とを具え、封緘部材は、内周下端に破断可能に外周壁に連設され、所定の位置に切欠き部が形成され、上蓋は、頂壁と外筒を具え、外筒の下部には、所定の位置にヒンジが連設され、ヒンジの反対側に封緘部材の切欠き部に挿入され係合する係止突起が配設され、外筒の下面に、ヒンジの反対側を中心として閉蓋時にキャップ本体の嵌合筒部の外筒と外周壁との間に挿入される舌片が垂設されていることを特徴とする。【選択図】  図１
2012096808.tif 000002
【特許請求の範囲】
【請求項１】
容器口部に装着されるキャップ本体と、キャップ本体とヒンジによって開閉可能に連結された上蓋とからなるヒンジキャップにおいて、
キャップ本体は、嵌合筒部と、外周上部の所定の位置にヒンジと封緘部材が連設される外周壁とを具え、
封緘部材は、内周下端に破断可能な連結片を介して、外周壁に連設され、所定の位置に切欠き部が形成され、
上蓋は、頂壁と外筒を具え、
外筒の下部には、所定の位置にヒンジが連設され、ヒンジの反対側に封緘部材の切欠き部に挿入され、係合する係止突起が配設され、外筒の下面に、ヒンジの反対側を中心として、閉蓋時にキャップ本体の嵌合筒部の外筒と外周壁との間に挿入される舌片が垂設されていることを特徴とする不正防止キャップ。
【請求項２】
キャップ本体の外筒の下端部外周と外周壁の下端部内周は、ヒンジの反対側に配設された連結片と、その他の場所に間隔を開けて複数配設される破断可能な弱化片を介して連設されていることを特徴とする請求項１に記載の不正防止キャップ。
【請求項３】
キャップ本体の外筒の上部外周と外周壁の上部内周との間は、全周にわたって一定の間隔を有していることをを特徴とする請求項１または２記載の不正防止キャップ。
【請求項４】
上蓋の外筒のヒンジの反対側の外周に、指掛け部が凹設されていることを特徴とする請求項１〜３のいずれかの項に記載の不正防止キャップ。
【請求項５】
封緘部材は、ヒンジの反対側を中心とし、一定の高さをもって形成される中央壁部と、中央壁部の両端から延び、中央壁部の高さより低く形成される側壁部とからなり、
両方の側壁部の中央壁部側に、切欠き部が形成され、
上蓋の外筒の外周下部に、封緘部材の両方の切欠き部に係合するそれぞれの位置に係止突起が配設されていることを特徴とする請求項１〜４のいずれかの項に記載の不正防止キャップ。
【発明の詳細な説明】
【技術分野】
【０００１】
本発明は、容器の口部に装着されるキャップ本体と上蓋とからなるヒンジキャップ、とくに不正な開封を防止する機構を具えた不正防止キャップに関するものである。
【背景技術】
【０００２】
液体状あるいは粉体状などの流動性内容物を収納した容器本体の口部に開閉自在なヒンジキャップが装着された各種容器においては、これら内容物が不正に抜き取られたり、詰め替えられたりされないように、また、内容物に有害物質が混入されたりすることがないように、不正な開封を防止することが必要である。
【０００３】
そこで、ヒンジキャップの上蓋またはキャップ本体に封緘部材を切離し可能に連設し、未開封状態時に、封緘部材をキャップ本体または上蓋と係合させて閉蓋状態を維持させ、封緘部材の有無で視覚的に開封状態を確認できるようにした不正防止キャップは、従来より知られている（例えば、特許文献１参照）。
【先行技術文献】
【特許文献】
【０００４】
【特許文献１】実開平４−  ３５５５３号公報
【発明の概要】
【発明が解決しようとする課題】
【０００５】
上記特許文献１記載のヒンジキャップは、蓋体（２）のヒンジ（３）の反対側に押圧片（４）を設け、キャップ本体（１）に薄肉部（６）を介して封緘部材に相当する係合片（７）を取り付けたものである。
【０００６】
そのため、容器を搬送する際の落下などで、上蓋に力が掛かると、薄肉部が切断され、封緘部材がキャップ本体から外れるという問題もあった。
【０００７】
本発明は、上記問題を解決することを課題とし、ヒンジキャップに切離し可能に連設した封緘部材により、不正の確認ができるとともに、閉蓋状態をより強固に維持させることができ、また、上蓋に力が掛かっても簡単に開蓋しないようにした不正防止キャップを提供することを目的とする。
【課題を解決するための手段】
【０００８】
本発明は、上記の課題を解決するため、不正防止キャップとして、容器口部に装着されるキャップ本体と、キャップ本体とヒンジによって開閉可能に連結された上蓋とからなるヒンジキャップにおいて、キャップ本体は、嵌合筒部と、外周上部の所定の位置にヒンジと封緘部材が連設される外周壁とを具え、封緘部材は、内周下端に破断可能な連結片を介して、外周壁に連設され、所定の位置に切欠き部が形成され、上蓋は、頂壁と外筒を具え、外筒の下部には、所定の位置にヒンジが連設され、ヒンジの反対側に封緘部材の切欠き部に挿入され、係合する係止突起が配設され、外筒の下面に、ヒンジの反対側を中心として、閉蓋時にキャップ本体の嵌合筒部の外筒と外周壁との間に挿入される舌片が垂設されていることを特徴とする構成を採用する。
【０００９】
キャップ本体の外周壁の実施例として、キャップ本体の外筒の下端部外周と外周壁の下端部内周は、ヒンジの反対側に配設された連結片と、その他の場所に間隔を開けて複数配設される破断可能な弱化片を介して連設されていることを特徴とする構成、また、キャップ本体の外筒の上部外周と外周壁の上部内周との間は、全周にわたって一定の間隔を有していることをを特徴とする構成を採用する。
【００１０】
上蓋の実施例として、上蓋の外筒のヒンジの反対側の外周に、指掛け部が凹設されていることを特徴とする構成を採用する。
【００１１】
封緘部材と舌片の実施例として、封緘部材は、ヒンジの反対側を中心とし、一定の高さをもって形成される中央壁部と、中央壁部の両端から延び、中央壁部の高さより低く形成される側壁部とからなり、両方の側壁部の中央壁部側に、切欠き部が形成され、上蓋の外筒の外周下部に、封緘部材の両方の切欠き部に係合するそれぞれの位置に係止突起が配設されていることを特徴とする構成を採用する。
【発明の効果】
【００１２】
本発明の不正防止キャップによれば、ヒンジキャップにおいて、キャップ本体に連設した封緘部材に配設した切欠き部の内方に、上蓋の外筒に突設した係止突起が挿入され、係合して閉蓋状態を維持することができるので、不正の確認ができるとともに、閉蓋状態をより強固に維持させることができる。
【００１３】
また、キャップ本体の蓋係合部と上蓋の外筒の係合部との係合の他に、外筒の下面に垂設された舌片が、閉蓋時にキャップ本体の嵌合筒と外周壁との間隙に挿入されるので、閉蓋状態をより強固に安定させることができ、容器を搬送する際の落下などで上蓋に力が掛かっても、開蓋することを防止することができる。
【図面の簡単な説明】
【００１４】
【図１】本発明のキャップの斜視図である。
【図２】キャップの閉蓋時の説明図で、（ａ）は断面側面図、（ｂ）は（ａ）の要部拡大図である。
【図３】キャップの開蓋時の説明図で、（ａ）は上面図、（ｂ）は（ａ）の要部拡大図である。
【図４】（ａ）は上蓋の一部断面正面図、（ｂ）はキャップ本体の一部断面正面図である。
【図５】キャップの要部拡大図で、（ａ）は断面側面図、（ｂ）は側面図である。
【発明を実施するための形態】
【００１５】
次に、本発明の不正防止キャップについて、図面を参照して説明する。
図１〜３において、Ａは容器口部に装着するキャップ本体、Ｂはキャップ本体ＡにヒンジＣを介して開閉可能に取り付けられた上蓋である。
【００１６】
キャップ本体Ａは、図１〜３、４（ｂ）に示すように、注出筒１と、注出筒１の外周下部に連設され、上蓋Ｂと係合するリング状の蓋係合部２と、蓋係合部２内縁下面に垂設される内筒３と、蓋係合部２の外縁部に垂設される外筒４とからなる嵌合筒部５とを具備している。
外筒４の内周下端には、係合突条６が設けられており、下端からは外方に一定の間隙を設けて外周壁７が連設されている。
キャップ本体Ａは、内筒３の外周が容器本体の口部内周に挿入し、外筒４の内周が容器本体の口部外周と嵌合することによって、容器本体の口部に装着される。
【００１７】
注出筒１の内周下部には、隔壁８が設けられ、隔壁８には、プルリング９によって抜栓されたときに除去され、内容液が注出される注出口を形成する除去部１０が形成されている。
【００１８】
外筒４の下端外周と外周壁７の下端内周は、ヒンジＣの反対側に配設された連結片１１と、その他の場所に間隔を開けて複数配設される破断可能な弱化片１２を介して連設されている。
外周壁７の連結片１１の上方に対応する位置には、封緘部材１３が連設されている。
【００１９】
封緘部材１３は、内周下端に複数配設される破断可能な連結片１４を介して、外周壁７の外周上部のヒンジの反対側に、僅かな間隙を形成して連設されるとともに、外周壁７の外周形状に沿うように弧状に形成されている。
【００２０】
さらにまた、封緘部材１３は、ヒンジＣの反対側を中心とし、一定の高さを持って形成される中央壁部１３ａと、中央壁部１３ａの両端から延び、中央壁部１３ａの高さより低く形成される側壁部１３ｂとを具えており、両方の側壁部１３ｂの中央壁部１３ａ側には、閉蓋時に、後述する上蓋Ｂの係止突起が挿入され、係合する切欠き部１５が下端に沿って形成されている。
【００２１】
上蓋Ｂは、図１〜３、４（ａ）に示すように、頂壁２０と、頂壁２０の外縁に垂設される外筒２１と、頂壁２０の下面に垂設され、閉蓋時に外周がキャップ本体Ａの注出筒１の内周と係合する密封筒２２が設けられている。
【００２２】
外筒２１には、内周下部に、閉蓋時にキャップ本体Ａの蓋係合部２の上部外周と係合し、閉蓋状態を維持する係合部２３が設けられ、外周下部の所定の位置にヒンジＣが連設されている。
【００２３】
外筒２１のヒンジＣの反対側の外周には、開蓋時に指先が引掛かるような適切な形状の指掛け部２４が凹設されている。
【００２４】
指掛け部２４の下方の外周下部には、閉蓋時に、キャップ本体Ａの封緘部材１３の両方の切欠き部１５に挿入し、係合する係止突起２５がそれぞれの位置に配設されている。
【００２５】
指掛け部２４の下方の外筒２１の下面には、閉蓋時にキャップ本体Ａの嵌合筒部５の外筒４と外周壁７との間隙の内方に挿入されるとともに、互いに係合してある程度の抵抗を生じる高さと幅と厚さをもって弧状に形成される舌片２６が垂設されている。
【００２６】
次に、本実施形態のキャップの作用効果について、説明する。
キャップの未開封状態では、図２、５（ａ）に示すように、キャップ本体Ａの嵌合筒部５の外筒４と、外周壁７との間隙内に上蓋Ｂの外筒２１の舌片２６が挿入、係合して、開蓋の抵抗となるとともに、キャップ本体Ａの蓋係合部２の上部外周と、上蓋Ｂの外筒２１の係合部２３が係合し、閉蓋を維持する。
【００２７】
また、図５（ｂ）に示すように、キャップ本体Ａの封緘部材１３の両方の切欠き部１５の内方に、上蓋Ｂの外筒２１のそれぞれの係止突起２５が挿入されるとともに、係止突起２５の上端面が切欠き部１５の上部に当接して係合して、上蓋Ｂは閉じた状態に保たれている。
【００２８】
封緘部材１３の中央壁部１３ａが、上蓋Ｂの外筒２１に凹設した指掛け部２４を覆っているので、故意に開封しようとしても、未開封時には指が指掛け部２４に入らず、不正な開封をより確実に防ぐことができる。
【００２９】
本実施形態のキャップでは、キャップ本体Ａの封緘部材１３の切欠き部１５内に上蓋Ｂの係止突起２５が挿入され係合しているので、連結片１４を切断しない程度に封緘部材１３を引っ張っても、係合を外すことができないようになっている。
【００３０】
また、キャップ本体Ａの蓋係合部２と上蓋Ｂの係合部２３との係合のほかに、キャップ本体Ａの嵌合筒部５の外筒４と外周壁７との間隙内に、上蓋Ｂの舌片２６が挿入され、開蓋しようとすると、舌片２６の下端が外周壁７内周に一定の強さをもって係合するので、閉蓋状態をより強固にすることができ、容器を搬送する際の落下などで、上蓋Ｂに力が掛かっても、簡単に開蓋することを防止することができる。
【００３１】
未開封状態から、キャップを開蓋する際には、まず、キャップ本体Ａの封緘部材１３の中央壁部１３ａに指を掛け、前方に引っ張って連結片１４を切断し、切欠き部１５と上蓋Ｂの係止突起２５の係合が外され、封緘部材１３をキャップ本体Ａから除去する。
次に、上蓋Ｂの指掛け部２４に指を掛け、上蓋Ｂを押し上げ、開蓋する。
なお、開蓋時、舌片２６により注出筒１に残留した内容物が指に付着することはない。
【００３２】
閉蓋時では、キャップ本体Ａの嵌合筒部５の外筒４と外周壁７との間隙内に上蓋Ｂの外筒２１の舌片２６が挿入され、係合して、開蓋時の抵抗となっているので、開蓋をする際に、より強い力が必要となる。
【００３３】
開蓋する際には、連結片１４を切断して封緘部材１３を除去するので、開封されたことが容易に視認できる。
【００３４】
未開封状態から、キャップ本体Ａの封緘部材１３を外さず上蓋Ｂを開蓋しようとすると、封緘部材１３の切欠き部１５と、上蓋Ｂの外筒２１の係止突起２５との係合により、封緘部材１３も上蓋Ｂとともに上方に持ち上げられ、封緘部材１３の連結片１４を切断して封緘部材１３が外れてしまうので、不正に開封されたことが外観から容易に確認できる。
【００３５】
本実施形態のキャップは、容器内の内容物を全部使用した後、容器本体から分別して廃棄することができる。
キャップを開蓋し、上蓋Ｂを上方に引張ると、ヒンジＣを介してキャップ本体Ａの外周壁７が引張られ、弱化片１２が切断される。
弱化片１２が切断されると、外周壁７は嵌合筒部５の外筒４から分離して変形しながら連結片１１を介して、嵌合筒部５のヒンジＣの反対側の下部が引張られる。
嵌合筒部５の下部の一部が引張り上げられると、外筒４が変形し、容器本体の口部との嵌合が外され、キャップと容器本体とを分別廃棄することができる。
【００３６】
上記実施形態では、キャップ本体の封緘部材が、ヒンジの反対側を中心とした中央壁部と、両端に延びる高さの低い側壁部とから形成され、両方の側壁部の中央壁部側に切欠き部を配設したが、封緘部材は、上蓋の係止突起と係合し閉蓋状態を維持できればよいので、封緘部材の形状は、切欠き部が形成できれば、どのような形状でもよい。
また、係合して閉蓋状態を維持できればよいので、封緘部材の切欠き部、および、それに係合する上蓋の係止突起の位置を変えたり、数を変えたりしてもよい。
封緘部材の形状、および、切欠き部とそれに係合する係止突起の位置や数は、上記実施形態の形状に限定されない。
【産業上の利用可能性】
【００３７】
本発明の不正防止キャップは、開封後も繰り返し上蓋を開閉して内容物を注出することができる通常のヒンジキャップに広く採用することができ、とくに安全を確保することが強く要求される飲料用、食品用などの容器のキャップに採用して好適である。
【符号の説明】
【００３８】
Ａ          キャップ本体
Ｂ          上蓋
Ｃ          ヒンジ
１          注出筒
２          蓋係合部
３          内筒
４          外筒
５          嵌合筒部
６          係合突条
７          外周壁
８          隔壁
９          プルリング
１０        除去部
１１、１４  連結片
１２        弱化片
１３        封緘部材
１３ａ      中央壁部
１３ｂ      側壁部
１５        切欠き部
２０        頂壁
２１        外筒
２２        密封筒
２３        係合部
２４        指掛け部
２５        係止突起
２６        舌片
【図１】
2012096808.tif 000003
【図２】
2012096808.tif 000004
【図３】
2012096808.tif 000005
【図４】
2012096808.tif 000006
【図５】
2012096808.tif 000007